(57)【特許請求の範囲】
【請求項１】
壁に張設された石膏ボードの表面から壁クロスを剥離する工法において、圧縮空気供給源に接続した中空の剥離用ロッドの先端で前記石膏ボードの表面紙を破る程度の穴を穿ち、圧縮空気供給源からの圧縮空気を剥離用ロッドの先端の空気吹き出し孔から前記石膏ボードと壁クロスとの間に吹き込んで、上記壁クロスを石膏ボードから浮かせて剥すことを特徴とする壁クロスの剥離工法。
【請求項２】
前記石膏ボードと壁クロスとの間が、前記石膏ボードと前記表面紙との間であることを特徴とする、請求項１に記載の壁クロスの剥離工法。
【請求項３】
前記石膏ボードと壁クロスとの間が、前記石膏ボードの表面紙と壁クロスとの間であることを特徴とする、請求項１に記載の壁クロスの剥離工法。
【請求項４】
ピストンを摺動自在に収容するシリンダと、上記ピストンに一端が貫通した状態で結合された中空のロッドと、中空のロッドを案内するガイド筒とを設け、圧縮空気を上記シリンダに供給して上記ピストンを駆動したとき、ロッドの先端がガイド筒の先端から石膏ボードの表面紙を貫通する程度に突出させるとともに、上記シリンダに供給した圧縮空気を、さらに前記表面紙を貫通したロッドの先端の空気吹き出し孔から前記石膏ボードと壁クロスとの間に吹き込んで前記壁クロスを石膏ボードから浮かせて剥すことを特徴とする壁クロスの剥離工法に供される剥離装置。
【発明の詳細な説明】
【０００１】
【発明の属する技術分野】
本発明は、建物の側壁や天井壁に張設された石膏ボードの表面から壁クロスを効率的に剥離する壁クロスの剥離工法及びこの工法に供される剥離装置に関する。
【０００２】
【従来技術】
一般に、住宅などの建物の側壁や天井壁には石膏ボードが張設され、さらにその上に紙製又は合成樹脂製の壁クロスが張られている例が多い。ところが、建物を解体するときやリフォームするときなどのように、石膏ボードを廃棄する必要があるときは、石膏ボード自体とその上に貼着された壁クロスとを分別して廃棄する必要がある。
【０００３】
現在は、壁クロスにカッタで切れ目を作り、その間から手を入れて引き剥す方法や、ドラムに針を植設した部材を壁クロスの上に転動させて細かい穴を穿ち、この穴から水を染み込ませて糊を柔らかくして壁クロスと石膏ボードとの間の接着力を弱めてから剥す方法が採られている。
【０００４】
【発明が解決しようとする課題】
しかしながら、前者の方法によれば、壁クロスはかなりの強度で石膏ボードに貼着されているから、きれいに剥れず、剥し途中で壁クロスが剥れず、切れてしまいやすいので、作業が煩雑であった。また、後者の方法では、糊が軟化するまでに時間がかかった。したがって、いずれの場合も、作業効率に問題があった。
【０００５】
【発明が解決しようとする課題】
本発明は上記問題点を解消し、壁クロスの剥離作業を効率よく行なうことができ、分別廃棄を促進することができる壁クロスの剥離工法及びその剥離装置を提供することをその課題とする。
【０００６】
【課題を解決するための手段】
前記課題を解消するため、本発明に係る壁クロスの剥離工法は、壁に張設された石膏ボードの表面から壁クロスを剥離する工法において、圧縮空気供給源に接続した中空の剥離用ロッドの先端で前記石膏ボードの表面紙を破る程度の穴を穿ち、圧縮空気供給源からの圧縮空気を剥離用ロッドの先端の空気吹き出し孔から前記石膏ボードと壁クロスとの間に吹き込んで、上記壁クロスを石膏ボードから浮かせて剥すことを特徴とする。
【０００７】
また、空気の吹き込み態様も、前記空気を前記石膏ボードと前記表面紙との間に吹き込んでも、あるいは空気を前記石膏ボードの表面紙と壁クロスとの間に吹き込んでもよい。
【０００８】
また、上記剥離工法に供される剥離装置は、ピストンを摺動自在に収容するシリンダと、上記ピストンに一端が貫通した状態で結合された中空のロッドと、中空のロッドを案内するガイド筒とを設け、圧縮空気を上記シリンダに供給して上記ピストンを駆動したとき、ロッドの先端がガイド筒の先端から石膏ボードの表面紙を貫通する程度に突出させるとともに、上記シリンダに供給した圧縮空気を、さらに前記表面紙を貫通したロッドの先端の空気吹き出し孔から前記石膏ボードと壁クロスとの間に吹き込んで前記壁クロスを石膏ボードから浮かせて剥すことを特徴とする。
【０００９】
【発明の実施の形態】
図１は本発明に係る壁クロスの断面で、符号１は石膏ボードを示す。この石膏ボード１は石膏板１ａの表面に表面紙２、裏面に裏紙３を張設したもので、通常は石膏ボード１は建物の側壁や天井壁に張設され、さらに表面紙２の上に壁クロス４が貼着されている。
【００１０】
５は剥離用ロッド５を示す。この剥離用ロッド５は筒状に形成され、先端は尖っていてもよく、平面状、球状でもよい。中央の中空部６は剥離用ロッド５の先端の側面に開口した空気吹き出し孔７に連通している。剥離用ロッド５の中空部６は圧縮空気供給源（図示せず）に接続し、圧縮空気が供給されるように構成され、手元で操作できる部位にはバルブ（図示せず）が設けられている。
【００１１】
石膏ボード１の表面から壁クロス４を剥離するにあたっては、図２(a) 又は同図(b) に示されるように、剥離用ロッド５をある程度の力で石膏ボード１に打ち付け、または押し付けて表面紙２を破る程度の穴８を穿った後、剥離用ロッド５のバルブを開いて中空部６に圧縮空気を供給して穴８から石膏ボード１と壁クロス４との間に空気を吹き込む。空気は膨張し、石膏ボード１と壁クロス４との間に入り込むので、壁クロス４が石膏ボード１から浮く。空気の層９は外方に広がるから、壁クロス４が図３に示すように風船のように膨らむ。しかし、空気の層９は大きくなるにつれて広がりにくくなる。そうしたら、剥離用ロッド５を抜き出し、図３のように石膏ボード１の別の部位で同様にして穴８を明けて空気を吹き込み、壁クロス４を一定の範囲だけ浮かせて分離させる。これを繰り返して全体が終ったら、手で壁クロス４を剥離すればよい。壁クロス４の多くの部分は既に石膏ボード１から浮いているので、簡単かつ迅速に剥離することができ、剥離作業を効率的に行なうことができる。
【００１２】
壁クロス４を剥す場合、図２(a) のように空気９を前記石膏ボード１と前記表面紙２との間に吹き込んでもよく、また同図(b) に示されるように、石膏ボード１の表面紙２と壁クロス４との間に吹き込むようにしてもよい。図２(a) の場合、表面紙２は一枚の紙であるが、細かくさか剥けるので、同図の状態になる。
【００１３】
なお、石膏ボード１と壁クロス４との間に空気を吹き込む手段は必ずしも上述のような剥離用ロッド５に限定されない。他の手段によってもよい。
【００１４】
次に、剥離作業は剥離用ロッド５による手作業でなく、図４に示す壁クロス剥離装置１０によれば、壁クロス４をより効率的に行なうことができる。すなわち、この壁クロス剥離装置１０は空気圧工具と同様に、圧縮空気によって作動するもので、グリップ１１は圧縮空気供給源に接続するとともに、内部には圧縮空気を貯留するエアチャンバ１２が形成されている。ボディ１３には打撃機構が設けられ、ボディ１３の先端にはガイド筒１４が突設されている。打撃機構は、トリガレバー１５によってトリガバルブ１６を作動させ、トリガバルブ１６の作動によってヘッドバルブ１７の開閉作動制御し、ヘッドバルブ１７の開閉によってシリンダ１８内のピストン１９ａを駆動制御するもので、ピストン１９ａには中空のロッド１９が一体に結合され、ロッド１９は上記ガイド筒１４内に摺動自在に案内されている。
【００１５】
なお、上記ロッド１９の上端は上記ピストン１９ａに貫通した状態で結合されている。このため、シリンダ１８とロッド１９の中空部６とは常時連通している。そして、ロッド１９の下端は閉じ、側面には上記中空部６に連続する吹き出し孔７が形成されている。
【００１６】
また、上記ピストン１９ａが図５に示す下死点に到達してバンパ２０に当たったとき、ロッド１９の先端はガイド筒１４の先端１４ａからわずかに突出するように設定されている。
【００１７】
上記構成の壁クロス剥離装置１０によれば、ガイド筒１４の先端１４ａを壁クロス４の上に当ててトリガレバー１５を引くと、トリガバルブ１６のバルブステム２１が上方に作動されるため、ヘッドバルブ１７に接続するエア通路２２はエアチャンバ１２に対して閉じる一方、バルブステム２１の周囲を通って大気に通じるから、ヘッドバルブ１７の上室２３に通じるエア通路２２内の圧縮空気が排気される。このため、ヘッドバルブ１７が図５に示すように開き作動し、エアチャンバ１２内の圧縮空気がシリンダ１８に供給され、ピストン１９ａが下方に駆動されるとともに、ロッド１９も下動してガイド筒１４よりも少し突出するから、その衝撃により壁クロス４及び石膏ボード１には表面紙２を破る程度の穴８が穿たれる。このように、ロッド１９の打ち込み深さはガイド筒１４によって規制される。ロッド１９はガイド筒１４によって位置決めされる。ところで、ピストン１９ａが駆動されると同時に、ロッド１９の中空部６にもシリンダ１８内の圧縮空気が供給されるから、その先端の吹き出し孔７から圧縮空気が吹き出す。この圧縮空気により、前述のように壁クロス４が石膏ボード１の表面から浮き上る。
【００１８】
圧縮空気が十分にゆき渡った後、トリガレバー１５の力を解放すると、再びトリガバルブ１６のバルブステム２１は下方に作動するため、ヘッドバルブ１７に接続するエア通路２２はエアチャンバ１２に対して開き、大気に閉じるから、エアチャンバ１２内の圧縮空気がエア通路２２を通ってヘッドバルブ１７の上室２３に送られてヘッドバルブ１７を閉じ作動させる。同時にシリンダ１８の上端開口部は排気通路２４に開き、ピストン１９ａの上面に対する空気圧は減圧する。同時に、ロッド１９からの空気の吹き出しも停止する。ピストン１９ａの下面には、ピストン１９ａ駆動時に供給されたブローバックチャンバ２５内の圧縮空気が作用するから、ピストン１９ａは上動して初期位置に復帰し、次の作動が準備される。
【００１９】
そして、図３のように石膏ボード１の別の部位で同様にして穴８を明けて空気を吹き込み、壁クロス４を一定の範囲だけ浮かせて分離させる。これを繰り返して全体が終ったら、手で壁クロス４を剥離すればよい。
【００２０】
上述の剥離装置１０によれば、壁クロス４の多くの部分は既に石膏ボード１から浮いているので、簡単かつ迅速に剥離することができるから、上述の剥離装置１０を使用することにより、実質的にはトリガレバー１５の操作だけで壁クロス４を剥離することができるため、壁クロス４の剥離作業を効率的に行なうことができる。
【図面の簡単な説明】
【図１】  壁クロスを貼着した石膏ボードの断面図
【図２】  石膏ボードと壁クロスとの間に空気を吹き込んだ状態の断面図
【図３】  石膏ボード全体における空気層の形成状態を示す平面図
【図４】  壁クロスの剥離方法に供される剥離装置の断面図
【図５】  上記剥離装置の作動態様説明図
【符号の説明】
１  石膏ボード
２  表面紙
４  壁クロス
１９  ロッド
【図１】
0004432184.tif 000002
【図２】
0004432184.tif 000003
【図３】
0004432184.tif 000004
【図４】
0004432184.tif 000005
【図５】
0004432184.tif 000006